(57)【特許請求の範囲】
【請求項１】
堆積されたベニヤ単板を表層より持ち上げる装置に於いて、鋭利な突刺体
を有する突刺部材と、
突刺部材を固着し、且つ該突刺部材を上下動させる上下動手段と、
上下動手段を支持する第１支持部材と、
前記ベニヤ単板の繊維直交方向に移動可能で、且つ第１支持部材を前記繊維方向と平行な
軸線を中心として回動可能に支持する第２支持部材と、
第２支持部材を前記繊維直交方向に移動させる戻し機構と、
上下動手段の作動を制御する制御器と、
で構成したことを特徴とするベニヤ単板持ち上げ装置。
【請求項２】
堆積されたベニヤ単板を表層より持ち上げる装置に於いて、鋭利な突刺体
を有する突刺部材と、
突刺部材を固着し、且つ該突刺部材を上下動させる上下動手段と、
上下動手段を前記ベニヤ単板の繊維方向と平行な軸線を中心として回動可能に支持し、且
つ前記繊維方向と平行な他の軸線を中心として回動可能な回動支持部材と、
上下動手段の作動を制御する制御器と、
で構成し、
そして、上下動手段による突刺部材を下動させる力より、上下動手段の非可動部と回動支
持部材との総合自重の方が大きいことを特徴とするベニヤ単板持ち上げ装置。
【発明の詳細な説明】
【０００１】
【産業上の利用分野】
この発明は、ベニヤ単板持ち上げ装置に関するものである。
【０００２】
【従来技術】
堆積台に堆積されているベニヤ単板（以下単板と称す。）の表面は、単板のアバレにより、斜めに傾いた面が多数存在する。その単板を突刺すべく、突刺部材を傾斜面に順応させる持ち上げ装置としては、図１から図４に示す如き装置が公知である。前記従来装置では、鋭利な突刺体２２ａ、２２ｂを有する突刺部材２２が、シリンダ２６のピストンロッドに軸２３を介して回動可能に支持され、更にシリンダ２６の取付部２６ｃが軸２７を介して回動可能に支持されている。そして、突刺体２２ａ、２２ｂは突刺部材２２の下部２２ｃより単板の厚さとほぼ同じ長さ突出しており、シリンダ２６で突刺部材２２を上下動させることにより、堆積されている単板５を刺して持ち上げている。
【０００３】
【発明が解決しようとする課題】
しかし、従来の装置は次のような問題が生じる。以下従来装置を、図１から図４に基づいて説明する。シリンダ２６のピストンロッドを伸長させていくと、傾斜している単板５に突刺体２２ａが刺さる。更にピストンロッドが伸長すると、突刺部材２２は突刺体２２ａを支点に反時計方向に、シリンダ２６は軸２７を支点に時計方向に回動して、突刺体２２ｂも単板５に刺さる。その状態（図３）に於て、シリンダ２６の中心線の延長線（一点鎖線）が突刺体２２ｂより左にずれると、突刺部材２２は、突刺体２２ｂを支点に反時計方向に回動して、倒れてしまうので、突刺できなくなる。又、図４に示す如く、突刺部材２２の底部２２ｃが、突刺体２２ａ及び２２ｂの水平方向外側に凸設されている突刺部材２２の場合は、堆積されている単板５の凹部がある場合で、該部分に突刺体２２ａ及び２２ｂが下降すると、外側の底部２２ｃが単板５に規制されて、突刺体２２ａ及び２２ｂが、単板５の凹部部分に刺さらないのである。
【０００４】
本発明はこのような問題点を解消するためになされたものであり、その目的とするところは、鋭利な突刺体を有する突刺部材と、突刺部材を固着し、且つ該突刺部材を上下動させる上下動手段と、上下動手段を傾斜自在に支持する支持部材と、上下動手段の作動を制御する制御器と、を具備する構成とする事により、堆積されている単板の表層が傾斜していても、突刺部材を前記傾斜に安定して順応させて、突刺体で単板を刺して持ち上げることができる単板持ち上げ装置を提供するにある。
【０００５】
【課題を解決するための手段】
具体的には、堆積された単板を表層より持ち上げる装置に於いて、鋭利な突刺体を有する突刺部材と、突刺部材を固着し、且つ該突刺部材を上下動させる上下動手段と、上下動手段を支持する第１支持部材と、前記単板の繊維直交方向に移動可能で、且つ第１支持部材を前記繊維方向と平行な軸線を中心として回動可能に支持する第２支持部材と、第２支持部材を前記繊維直交方向に移動させる戻し機構と、上下動手段の作動を制御する制御器と、で構成したことを特徴とする単板持ち上げ装置（請求項１）と、
堆積された単板を表層より持ち上げる装置に於いて、鋭利な突刺体を有する突刺部材と、突刺部材を固着し、且つ該突刺部材を上下動させる上下動手段と、上下動手段を前記ベニヤ単板の繊維方向と平行な軸線を中心として回動可能に支持し、且つ繊維方向と平行な他の軸線を中心として回動可能な回動支持部材と、上下動手段の作動を制御する制御器と、で構成し、そして、上下動手段による突刺部材を下動させる力より、上下動手段の非可動部と回動支持部材との総合自重の方が大きいことを特徴とする単板持ち上げ装置（請求項２）と、
堆積された単板を表層より持ち上げる装置に於いて、鋭利な突刺体を有する突刺部材と、突刺部材を固着し、且つ該突刺部材を上下動させる上下動手段と、上下動手段を繊維方向と平行な軸線を中心として回動可能に支持し、且つ傾斜部を有し、その傾斜部にて上下動手段を傾斜方向に案内する案内支持部材と、上下動手段の作動を制御する制御器と、で構成したことを特徴とする単板持ち上げ装置と、
堆積された単板を表層より持ち上げる装置に於いて、鋭利な突刺体を有する突刺部材と、突刺部材を固着し、且つ該突刺部材を上下動させる上下動手段と、上下動手段を傾斜自在に支持する支持部材と、上下動手段の作動を制御する制御器と、で構成したことを特徴とする単板持ち上げ装置と、
を提供するものである。
【０００６】
【作用】
堆積されている単板の上方より、上下動手段を作動させて、単板の表層の傾斜部に突刺部材を下降させると、突刺体の一部及び／又は突刺部材の底部の一部が単板に当接する。更に突刺部材を下降させ続けると、堆積されている単板の表層の傾斜に応じて、前記突刺体の一部及び／又は突刺部材の底部の一部を支点にして、突刺部材と上下動手段とが同方向に傾斜する。そして、単板の傾斜に順応して突刺体が単板に刺さり、且つ突刺部材の底部のほとんどが単板に当接すると、突刺部材と上下動手段とが傾斜状態で制動する。次に、上下動手段を作動させて、突刺部材を上昇させると、刺した単板が持ち上げる。
【０００７】
【実施例】
先ず第１実施例を図５から図１０に従って説明する。図５は全体の側面図、図６は図５の要部拡大図、図７は図６の正面図、図８は要部作動図、図９は要部作動図、図１０は要部作動図である。
【０００８】
先ず図５に従って全体の構成を説明すると、６は機体、５は単板であり、繊維方向は図５に於ける左右方向である。４は単板５を堆積する堆積台であり、適宜の検出装置（図示せず）にて高さ制御し、単板５の表層の位置を任意の高さに維持している。７は鋭利な突刺体を有する突刺部材、１７は上下動手段であるところの上下動シリンダであり、ピストンロッドが回らない様に回り止め機構が施されているシリンダである。９は上下動シリンダ１７を支持し、且つ後述するように回動可能な第１支持部材、１９は機体６に略水平移動可能に取り付けられた移動台であり、補助台１４が取り付けられている。２１は水平移動シリンダであり、その取付部２１ａが軸２１ｂを介して機体６に、そしてピストンロッドは継手１９ａを介して移動台１９に夫々取り付けられている。２５は単板を検知するための検知器であるところの光電管又はリミットスイッチ、３１は単板５を次工程へ搬出するための搬出ロールであり、回転可能（図示せず）に機体６に取り付けられ、且つモータ（図示せず）が連結されている。３９は搬出ロール３１とで単板５を挟持するための、たたきロールであり、アーム３５の一方に回転可能に支持されている。アーム３５は図示は省略するが、機体６に固定された軸３３を介して回動可能に支持されている。更に、アーム３５の他方とたたきシリンダ３７のピストンロッドとが回動可能に連結されている。更に、光電管２５の単板検知又は単板非検知による信号に基づいて、上下動シリンダ１７、水平移動シリンダ２１及び、たたきシリンダ３７の作動を後述するように制御する制御器（図示せず）とで構成されている。
【０００９】
次に図６及び図７に従って要部の構成を説明すると、７ａ、７ｂは鋭利な突刺体であり、単板５の厚みとほぼ同じ長さ、突刺部材７の底部７ｃより突出すべく、突刺部材７に一体に形成、又は別体で取り付けられている。突刺部材７は上下動シリンダ１７のピストンロッドに取り付けられ、そして上下動シリンダ１７は取付ナット１７ｃで第１支持部材９に取り付けられている。更に、第１支持部材９は後述する第２支持部材に設けた軸９ａにて回動可能に備えられている。また、第１支持部材９と上下動シリンダ１７等の合計自重により、軸９ａを回動軸として上下動シリンダ１７がほぼ垂直状態となっている。８は軸９ａを介して第１支持部材９を回動可能に支持している第２支持部材であり、後述するレール台１０に沿って横方向（図７の左右方向）に移動可能である。１０は図７で示す様に略横方向に直線のレール台であり、コロ１０ａ（図６）を介して第２支持部材８を横方向に移動可能に支持している。１１は第２支持部材を後述するように繊維直交方向定位置に移動させる戻し機構としての引張りバネであり、後述する掛止台１３と第２支持部材８の両端とに掛止され、通常は左右の引張りバネ１１の力の釣り合う位置であるところの繊維直交方向定位置（後述する掛止台１３のほぼ真下に上下動シリンダ１７がくる位置）に第２支持部材８を制動させている。１３は補助台１４に取り付けられている掛止台である。
【００１０】
次に、上記のように構成された第１実施例の作用を図５から図１０に従って説明する。先ず図５の実線で示す初期状態では、上下動シリンダ１７及び水平移動シリンダ２１のピストンロッドは夫々収縮、たたきシリンダ３７のピストンロッドは伸長している。そして、突刺部材７は単板５の繊維方向左側端部の上方であり、この位置を繊維方向定位置とする。また、二点鎖線の位置を挿入待機位置とする。更に図示しないが、制御器からの信号は、単板の有無による検知器２５の信号に基づいて、タイマー等の遅延装置（図示せず）を介して、上下動シリンダ１７、水平移動シリンダ２１及びたたきシリンダ３７の夫々のピストンロッドの伸長又は収縮に要する時間がタイマで設定され、且つ各々の作動順序に適応して制御器より出力される。
【００１１】
初期状態にて、光電管２５より単板非検知の信号が制御器に送られる。そして制御器からの信号で、上下動シリンダ１７のピストンロッドを伸長させると、突刺部材７が下降し、単板５に当接（図８）する。当接された部分の単板５の表層が傾斜していると、突刺体７ａだけが表層の単板５に突刺され、次いで前記突刺体７ａを支点に、突刺部材７、上下動シリンダ１７及び第１支持部材９が反時計方向に回動し、且つほぼ同時に突刺体７ａが単板５から受ける反作用力により第２支持部材８も左に移動し、左の引張りバネ１１は伸び、右の引張りバネ１１は縮む。更に、前記ピストンロッドを伸長させ続けると、単板５の傾斜に順応して、突刺体７ｂも単板５に刺さり、突刺部材７の底部７ｃも単板５に当接（図９）する。前記当接により前記ピストンロッドの伸長も制動され、且つほぼ同時に第２支持部材８の左への移動も止まる。以後突刺部材７が若干下降しても突刺部材７と単板５との相対位置は変わらず、突刺体７ａ、７ｂで単板５一枚のみ刺すことができる。
【００１２】
前記ピストンロッドの伸長用タイマ終了後、制御器からの信号で、前記ピストンロッドを収縮させると、突刺体７ａ、７ｂで単板５を刺した突刺部材７が上昇する。そこで、突刺部材７、上下動シリンダ１７及び第１支持部材９がそれらの自重等により時計方向に回動し、且つ前記反作用がなくなり、左右の引張りバネ１１の力が釣り合うべく、第２支持部材８も右に移動して、繊維直交方向定位置（図１０）に戻る。
【００１３】
上下動シリンダ１７のピストンロッドの収縮用タイマ終了後、制御器からの信号で、水平移動シリンダ２１のピストンロッドを伸長させて、移動台１９を移動させることで、持ち上げた単板５を挿入待機位置（図５の二点鎖線の位置）に移動させる。続いて光電管２５が前記単板５を検知すると、単板検知の信号が制御器に送られ、制御器からの信号で、たたきシリンダ３７のピストンロッドを収縮させると、たたきロール３９の下降により、単板５は突刺体７から抜かれ、そして搬入ロール３１とたたきロール３９とにより挟持されて、次の工程に搬出される。次に、たたきシリンダ３７のピストンロッドの収縮用タイマ終了後、制御器からの信号で、水平移動シリンダ２１のピストンロッドを収縮させて、移動台１９を繊維方向定位置（図５の実線の位置）へ戻す。前記単板５の次工程への搬出が終了すると、光電管２５より、単板非検知の信号が制御器に送られる。続いて、制御器からの信号で、たたきシリンダ３７のピストンロッドを伸長させて、初期状態に戻す。以上の繰り返しにより単板を順次持ち上げて搬出するのである。
【００１４】
尚、突刺体７ａ、７ｂで単板５を刺し損ねている場合、移動台１９及び要部を挿入待機位置に移動しても、光電管２５より単板検知の信号が出ない。その時は制御器からの信号で、初期状態に戻し、再度繰り返しの動作をさせる。あるいは、移動台１９を繊維方向定位置より若干移動させて、再度繰り返しの動作をさせるならば、節穴等の欠落部により刺し損ねた場合に、より有効となる。
【００１５】
尚、単板５を刺して持ち上げた後、別に備えたバキューム装置で吸着し、該バキューム装置を水平移動させても良い。
【００１６】
尚、戻し機構としての引張りバネ１１は圧縮バネ、シリンダ又ゴム等のいわゆる弾性体であれば良い。
【００１７】
尚、図１１に示す如く、上下動シリンダ１７の取付部を第１支持部材９とし、軸９ａを介して第２支持部材８に回動自在に取り付けてもよい。
【００１８】
以上のように第１実施例によれば、突刺部材７が堆積されている単板５の表層で傾斜した部分に当接されても、突刺部材７を前記傾斜に安定して順応させて、突刺体７ａ、７ｂで単板５を刺し持ち上げることができるのである。
【００１９】
次に、第２実施例を図１２から図１４に従って説明する。図１２は要部の正面図、図１３は要部作動図、図１４は要部作動図である。尚、第１実施例と比べると、要部以外は、構成及び作用が同じであるため説明は省略する。
【００２０】
７は第１実施例と同様に、鋭利な突刺体７ａ、７ｂを有する突刺部材、１７ａは突刺部材７を上下動させる上下動手段であるところの上下動シリンダであり、該上下動シリンダ１７ａのピストンロッドと突刺部材７とが固着されている。更に該上下動シリンダ１７ａは、ピストンロッドが回らない様に、回り止め機構が施されているシリンダである。回動支持部材４１の下端と上下動シリンダ１７ａの取付部１７ｄとが軸４３を介して、相互に回動可能に連結されている。４７は補助台１４に取り付けられている支持メタルであり、回動支持部材４１の上端を軸４５を介して回動可能に支持している。
【００２１】
図１２に示す初期状態では、上下動シリンダ１７ａのピストンロッドは収縮、そして、回動支持部材４１、上下動シリンダ１７ａ及び突刺部材７は各々の自重により、ほぼ垂直状態である。
【００２２】
尚、上下動シリンダ１７ａのピストンロッドを伸長させる力より、シリンダチューブ、取付部１７ｄ及び回動支持部材４１等の総合自重の方が大きい構成とする。
【００２３】
この様な構成で、第１実施例と同様に制御器からの信号で、上下動シリンダ１７ａのピストンロッドを伸長させると、突刺部材７が下降し、突刺体７ａが単板５に当接（図１３）する。当接された部分の単板５の表層が傾斜していると、突刺体７ａだけが表層の単板５に突刺され、次いで前記突刺体７ａを支点に、突刺部材７、上下動シリンダ１７ａが反時計方向に回動し、且つ回動支持部材４１は軸４５を回動軸として時計方向に回動する。更に、前記ピストンロッドを伸長させ続けると、単板５の傾斜に順応して、突刺体７ｂも単板５に刺さり、突刺部材７の底部７ｃも単板５に当接（図１４）する。前記当接により、回動支持部材４１、上下動シリンダ１７ａ及び突刺部材７の回動が止まる。以後突刺部材７が若干下降しても突刺部材７と単板５との相対位置は変わらず、突刺体７ａ、７ｂで単板５一枚のみ刺すことができる。
【００２４】
上下動シリンダ１７ａのピストンロッドの伸長用タイマ終了後、第１実施例と同様に制御器からの信号で、前記ピストンロッドを収縮させると、突刺体７ａ、７ｂで単板５を刺した突刺部材７が上昇しながら、突刺部材７及び上下動シリンダ１７ａ等の自重により、これらは時計方向に回動し、又回動支持部材４１は反時計方向に回動する。以後の作用は、第１実施例と同様であるので説明は省略する。
【００２５】
尚、軸４３、４５に代えて各々ユニバーサルジョイント、ゴム又はバネ等の弾性体を使用すれば、単板５の表層が如何なる方向に傾斜していても、突刺部材７を前記傾斜に安定して順応させて、突刺体７ａ、７ｂで単板５を刺すことができるのである。
【００２６】
以上のように第２実施例によれば、突刺部材７が堆積されている単板５の表層で傾斜した部分に当接されても、突刺部材７を前記傾斜に安定して順応させて、突刺体７ａ、７ｂで単板５を刺し、持ち上げることができるのである。
【００２７】
次に、第３実施例を図１５から図１８に従って説明する。図１５は要部の正面図、図１６は図１５の側面図、図１７は要部作動図、図１８は要部作動図である。尚、第１実施例と比べると、要部以外は、構成及び作用が同じであるため説明は省略する。
【００２８】
７は第１実施例と同様に、鋭利な突刺体７ａ、７ｂを有する突刺部材、１７ｂは突刺部材７を上下動させる上下動手段であるところの上下動シリンダであり、該上下動シリンダ１７ｂのピストンロッドと突刺部材７とが固着されている。更に該上下動シリンダ１７ｂは、ピストンロッドが回らない様に、回り止め機構が施されているシリンダである。５７は上下動シリンダ１７ｂを略横方向に案内する案内支持部材であり、補助台１４に取り付けられている。該案内支持部材５７は上部５７ｃ、傾斜部５７ｂ、下部５７ａ及び空間部５７ｄを有し、更に該下部５７ａは左右の傾斜部５７ｂの下方への延長線上より低くなっている。案内軸５３は前記空間部５７ｄを貫通する状態（図１５、図１６）で上下動シリンダ１７ｂの取付部５１に回動可能に、又は固定的に取り付けられている。図１５に示す初期状態では、上下動シリンダ１７ｂのピストンロッドは収縮させておき、上下動シリンダ１７ｂ及び突刺部材７両者の自重により、案内軸５３が案内支持部材５７の下部５７ａの位置にあり、両者はほぼ垂直状態である。
【００２９】
この様な構成で、第１実施例と同様に制御器からの信号で、上下動シリンダ１７ｂのピストンロッドを伸長させると、突刺部材７が下降し、突刺体７ａが単板５に当接（図１７）する。当接された部分の単板５の表層が傾斜していると、突刺体７ａだけが表層の単板５に突刺され、次いで前記突刺体７ａを支点に、取付部５１及び／又は案内軸５３が左方向へ案内支持部材５７に案内されて、突刺部材７及び上下動シリンダ１７ｂ等が反時計方向に回動する。更に、前記ピストンロッドを伸長させ続けると、単板５の傾斜に順応して、突刺体７ｂも単板５に刺さり、突刺部材７の底部７ｃも単板５に当接（図１８）する。前記当接により、上下動シリンダ１７ｂ及び突刺部材７の回動が止まる。以後突刺部材７が若干下降しても突刺部材７と単板５との相対位置は変わらず、突刺体７ａ、７ｂで単板５一枚のみ刺すことができる。
【００３０】
上下動シリンダ１７ｂのピストンロッドの伸長用タイマ終了後、第１実施例と同様に制御器からの信号で、前記ピストンロッドを収縮させると、突刺体７ａ、７ｂで単板５を刺した突刺部材７が上昇しながら、初期状態に戻るべく、案内軸５３が案内支持部材５７の傾斜部５７ｂに沿って右に移動する一方、突刺部材７及び上下動シリンダ１７ｂは時計方向に回動する。以後の作用は、第１実施例と同様であるので、説明は省略する。
【００３１】
以上のように第３実施例によれば、突刺部材７が堆積されている単板５の表層で傾斜した部分に当接されても、突刺部材７を前記傾斜に安定して順応させて、突刺体７ａ、７ｂで単板５を刺し、持ち上げることができるのである。
【００３２】
第１、第２及び第３実施例に於て、突刺体７ａ、７ｂは突刺部材７に一体に形成、又は別体で取り付けられているが、図１９に示す様に、突刺体７７ａ、７７ｂを突刺部材７７に軸７５を介して回動可能に取り付けても良い。
【００３３】
【発明の効果】
本願発明によれば、突刺部材が堆積されている単板の表層で傾斜した部分に当接されても、突刺部材を前記傾斜に安定して順応させて、突刺体で単板を刺し、持ち上げることができるのである。
【図面の簡単な説明】
【図１】従来装置の説明図である。
【図２】従来装置の説明図である。
【図３】従来装置の説明図である。
【図４】従来装置の説明図である。
【図５】第１実施例の全体の側面図である。
【図６】図５の要部拡大図である。
【図７】図６の正面図である。
【図８】第１実施例の要部作動図である。
【図９】第１実施例の要部作動図である。
【図１０】第１実施例の要部作動図である。
【図１１】第１実施例の要部の一部変更図である。
【図１２】第２実施例の要部の正面図である。
【図１３】第２実施例の要部作動図である。
【図１４】第２実施例の要部作動図である。
【図１５】第３実施例の要部の正面図である。
【図１６】図１５の側面図である。
【図１７】第３実施例の要部作動図である。
【図１８】第３実施例の要部作動図である。
【図１９】突刺部材７と突刺体７ａ、７ｂの変更図である。
【符号の説明】
５・・・・・・・・・・・・・・・・・・・・・単板
７ａ、７ｂ・・・・・・・・・・・・・・・・・突刺体
７・・・・・・・・・・・・・・・・・・・・・突刺部材
１７、１７ａ、１７ｂ・・・・・・・・・・・・上下動シリンダ
【図１】
0003634892.tif 000002
【図２】
0003634892.tif 000003
【図３】
0003634892.tif 000004
【図４】
0003634892.tif 000005
【図５】
0003634892.tif 000006
【図６】
0003634892.tif 000007
【図７】
0003634892.tif 000008
【図８】
0003634892.tif 000009
【図９】
0003634892.tif 000010
【図１０】
0003634892.tif 000011
【図１１】
0003634892.tif 000012
【図１２】
0003634892.tif 000013
【図１３】
0003634892.tif 000014
【図１４】
0003634892.tif 000015
【図１５】
0003634892.tif 000016
【図１６】
0003634892.tif 000017
【図１７】
0003634892.tif 000018
【図１８】
0003634892.tif 000019
【図１９】
0003634892.tif 000020